(57)【要約】【課題】電子部品に接続したリード線をインジェクタの外部に取り出す構成のインジェクタにおいて、電気ノイズの侵入をより確実に防止する。【解決手段】筒状の第１シールドカバー３と、第１シールドカバー３の開口部３１を塞ぐ板状の第２シールドカバー４とを備え、それらに囲まれた空間に電子部品６を配置する。そして、両シールドカバー３、４を、電磁シールド性を有する同一材質の金属にて形成する。両シールドカバー３、４は電磁シールド性を有するため、電子部品６が配置された空間への電気ノイズの侵入を抑制することができる。また、異種金属接触により発生する電位差は電気ノイズの元になるが、両シールドカバー３、４は同一材質であるため、そのような電位差が発生せず、電子部品６が配置された空間への電気ノイズの侵入をさらに抑制することができる。【選択図】図２
2012122397.tif 000002
【特許請求の範囲】
【請求項１】
高圧燃料が流通する高圧通路が形成されたボデー（１）を備え、内燃機関に搭載されて燃料を噴射するインジェクタであって、
前記ボデー（１）に組み付けられた筒状の第１シールドカバー（３）と、
前記第１シールドカバー（３）に結合されて前記第１シールドカバー（３）の開口部（３１）を塞ぐ板状の第２シールドカバー（４）とを備え、
前記第１シールドカバー（３）および前記第２シールドカバー（４）は、電磁シールド性を有する同一材質の金属にて形成され、
前記ボデー（１）と前記第１シールドカバー（３）と前記第２シールドカバー（４）とによって囲まれた空間に電子部品（６）が配置され、
前記電子部品（６）に接続されたリード線（８）は、前記第２シールドカバー（４）に形成された通し孔（４１）に通されて外部に取り出されていることを特徴とするインジェクタ。
【請求項２】
前記第２シールドカバー（４）は前記第１シールドカバー（３）に圧入されていることを特徴とする請求項１に記載のインジェクタ。
【請求項３】
前記リード線（８）と前記通し孔（４１）との間はシール部材（９）によりシールされていることを特徴とする請求項１または２に記載のインジェクタ。
【請求項４】
前記第１シールドカバー（３）と前記第２シールドカバー（４）との間はＯリング（５）によりシールされていることを特徴とする請求項１ないし３のいずれか１つに記載のインジェクタ。
【請求項５】
前記電子部品（６）は、前記内燃機関に噴射される燃料の圧力を検出する圧力センサであることを特徴とする請求項１ないし４のいずれか１つに記載のインジェクタ。
【発明の詳細な説明】
【技術分野】
【０００１】
本発明は、内燃機関に燃料を噴射するインジェクタに関するものである。
【背景技術】
【０００２】
内燃機関に燃料を噴射するインジェクタとして、内燃機関に噴射される燃料の圧力を検出する圧力センサを、インジェクタに内蔵させるものが提案されている。また、インジェクタのボデーにコネクタが一体に設けられ、コネクタのターミナルと圧力センサが電気的に接続されている（例えば、特許文献１参照）。
【先行技術文献】
【特許文献】
【０００３】
【特許文献１】特開２０１０−２４２５７４号公報
【発明の概要】
【発明が解決しようとする課題】
【０００４】
ところで、本発明者らは、上記した従来のボデーに一体のコネクタを廃止し、圧力センサに電気的に接続したリード線をインジェクタの外部に取り出した後、そのリード線にボデーとは別体のコネクタを接続する構成のインジェクタを検討した。
【０００５】
図３は、リード線を使用するインジェクタの検討案であり、電磁シールド性を有する金属にて形成した円筒状のシールドカバー３をインジェクタのボデー１の上端に設け、このシールドカバー３内の空間に圧力センサ６を配置している。そして、その空間への水浸入を防止するために、シールドカバー３の開口部３１をゴム製の蓋１００で覆い、この蓋１００に形成された通し孔１０１にリード線８を挿入して、リード線８を外部に取り出すようにしている。しかしながら、このインジェクタの構成では、蓋１００の部位から電気ノイズが侵入してしまうという問題が発生する。
【０００６】
本発明は上記点に鑑みて、電子部品に接続したリード線をインジェクタの外部に取り出す構成のインジェクタにおいて、電気ノイズの侵入をより確実に防止することを目的とする。
【課題を解決するための手段】
【０００７】
上記目的を達成するため、請求項１に記載の発明では、高圧燃料が流通する高圧通路が形成されたボデー（１）を備え、内燃機関に搭載されて燃料を噴射するインジェクタであって、ボデー（１）に組み付けられた筒状の第１シールドカバー（３）と、第１シールドカバー（３）に結合されて第１シールドカバー（３）の開口部（３１）を塞ぐ板状の第２シールドカバー（４）とを備え、第１シールドカバー（３）および第２シールドカバー（４）は、電磁シールド性を有する同一材質の金属にて形成され、ボデー（１）と第１シールドカバー（３）と第２シールドカバー（４）とによって囲まれた空間に電子部品（６）が配置され、電子部品（６）に接続されたリード線（８）は、第２シールドカバー（４）に形成された通し孔（４１）に通されて外部に取り出されていることを特徴とする。
【０００８】
これによると、第１シールドカバー（３）および第２シールドカバー（４）は電磁シールド性を有するため、電子部品（６）が配置された空間への電気ノイズの侵入を抑制することができる。
【０００９】
また、異種金属接触により発生する電位差は電気ノイズの元になるが、第１シールドカバー（３）および第２シールドカバー（４）は同一材質であるため、そのような電位差が発生せず、電子部品（６）が配置された空間への電気ノイズの侵入をさらに抑制することができる。
【００１０】
請求項２に記載の発明のように、請求項１に記載のインジェクタにおいて、第２シールドカバー（４）を第１シールドカバー（３）に圧入して固定することができる。
【００１１】
請求項３に記載の発明のように、請求項１または２に記載のインジェクタにおいて、リード線（８）と通し孔（４１）との間をシール部材（９）によりシールすることができる。
【００１２】
請求項４に記載の発明のように、請求項１ないし３のいずれか１つに記載のインジェクタにおいて、第１シールドカバー（３）と第２シールドカバー（４）との間をＯリング（５）によりシールすることができる。
【００１３】
なお、この欄および特許請求の範囲で記載した各手段の括弧内の符号は、後述する実施形態に記載の具体的手段との対応関係を示すものである。
【図面の簡単な説明】
【００１４】
【図１】本発明の一実施形態に係るインジェクタを示す図である。
【図２】図１のインジェクタの要部を示す正面断面図である。
【図３】インジェクタの検討案を示す要部の正面断面図である。
【発明を実施するための形態】
【００１５】
本発明の一実施形態について説明する。図１（ａ）は一実施形態に係るインジェクタの正面図、図１（ｂ）は図１（ａ）の平面図、図２は図１のインジェクタの要部を示す正面断面図である。
【００１６】
図１に示すように、インジェクタのボデー１には、コモンレール（図示せず）から供給される高圧燃料が流通する高圧通路が形成されており、その高圧燃料は、ボデー１の下端に装着されたノズル２からディーゼル内燃機関（図示せず）の気筒内に噴射される。
【００１７】
図２に示すように、ボデー１の上端外周側には、円筒状の第１シールドカバー３が螺合されている。第１シールドカバー３の上端には開口部３１が設けられている。この開口部３１に円板状の第２シールドカバー４が圧入固定されて、開口部３１が塞がれている。
【００１８】
なお、ボデー１、第１シールドカバー３、および第２シールドカバー４は、電磁シールド性に富む金属にて形成されている。より詳細には、第１シールドカバー３および第２シールドカバー４は、電磁シールド性を有する同一材質の金属（例えば、ステンレス）にて形成されている。
【００１９】
第２シールドカバー４には、後述するリード線およびシール部材が挿入される貫通した通し孔４１が２つ形成されている。また、第１シールドカバー３と第２シールドカバー４との間にＯリング５が配置されており、第１シールドカバー３と第２シールドカバー４との間はこのＯリング５によりシールされている。
【００２０】
ボデー１と第１シールドカバー３と第２シールドカバー４にて囲まれた空間には、高圧通路の燃料圧力を検出する電子部品としての圧力センサ６が配置されている。この圧力センサ６は、ボデー１の上端に螺合されている。
【００２１】
圧力センサ６は、高圧通路の燃料圧力に応じて抵抗値が変化するセンサチップ、センサチップの抵抗値変化に基づいて圧力に応じたセンサ信号を出力する信号処理回路用ＩＣ、および接点６１等を備えている。そして、接点６１がターミナル７に電気的に接続され、さらにターミナル７がリード線８と電気的に接続されている。
【００２２】
リード線８は、第２シールドカバー４の通し孔４１に通されて、反ターミナル側が外部に取り出されている。そして、外部に取り出されたリード線８は、図示しないコネクタのターミナルに電気的に接続される。
【００２３】
リード線８と通し孔４１間に充填材を充填して形成したシール部材９により、リード線８と通し孔４１間がシールされている。その充填材としては、接着剤、ホットメルト、樹脂等を用いることができる。
【００２４】
本実施形態では、ボデー１、第１シールドカバー３、および第２シールドカバー４は電磁シールド性を有するため、圧力センサ６が配置された空間への電気ノイズの侵入を抑制することができる。
【００２５】
また、異種金属接触により発生する電位差は電気ノイズの元になるが、第１シールドカバー３および第２シールドカバー４は同一材質であるため、そのような電位差が発生せず、圧力センサ６が配置された空間への電気ノイズの侵入をさらに抑制することができる。
【００２６】
なお、上記実施形態では、電子部品として圧力センサ６を示したが、本発明は圧力センサ以外の電子部品を備えるインジェクタにも適用することができる。
【符号の説明】
【００２７】
１    ボデー
３    第１シールドカバー
４    第２シールドカバー
６    圧力センサ（電子部品）
８    リード線
３１  開口部
４１  通し孔
【図１】
2012122397.tif 000003
【図２】
2012122397.tif 000004
【図３】
2012122397.tif 000005